(57)【要約】【課題】フィルタ枠を組み立てるとき、簡単な構成で濾材を所定の位置に配置させることが可能なエアフィルタを提供する。【解決手段】エアフィルタは、地板１２及び天板を有するフィルタ枠と、天板側から見てＶ形に配置される濾材を備える。フィルタ枠の前方開口部３９Ｆには、複数のコの字断面を呈する前方桟部２５Ｆを配置する。前方桟部２５Ｆの内部には、濾材のＶ形の頂部を配置する。地板１２の前縁部１２Ｆには、天板に向かって屈曲して形成される第１前方屈曲部１６Ｆと、第１前方屈曲部１６Ｆからさらにフィルタ枠の内部に屈曲して形成される第２前方屈曲部１７Ｆとを設ける。第２前方屈曲部１７Ｆには、前方桟部２５Ｆが係合される前方凹部２１Ｆを形成する。地板１２の後縁部１２Ｂ、及び天板の前縁部及び後縁部にも同様に凹部を形成する。【選択図】図２
2008200647.tif 000002
【特許請求の範囲】
【請求項１】
対向して配置される天板及び地板を有するフィルタ枠と、
前記フィルタ枠の内部に配設され、前記天板側から見てＶ形に配置される濾材とを備え、
前記天板及び地板のうち少なくとも一方の前記開口部側の縁部には、前記地板または天板に向かって屈曲して形成される第１屈曲部と、前記第１屈曲部からさらに前記フィルタ枠の内部に屈曲して形成される第２屈曲部とが設けられ、
前記第２屈曲部には、前記濾材のＶ形の頂部が内部に配置される凹部が形成されることを特徴とするエアフィルタ。
【請求項２】
前記フィルタ枠の開口部において、前記フィルタ枠の天板と地板の間に渡さて配置されると共に、前記天板から前記地板まで延び、かつ前記フィルタ枠の内側に向けて開口する溝を有し、その溝内部に前記濾材のＶ形の頂部が配置される桟部をさらに備え、前記桟部が前記凹部に係合されることを特徴とする請求項１に記載のエアフィルタ。
【請求項３】
前記桟部は断面コの字形状を呈することを特徴とする請求項２に記載のエアフィルタ。
【請求項４】
前記第１屈曲部は、前記天板又は地板に対して９０°屈曲して形成されると共に、前記第２屈曲部は前記第１屈曲部に対して９０°屈曲することを特徴とする請求項１に記載のエアフィルタ。
【請求項５】
前記第２屈曲部は、複数の屈曲片から構成され、前記屈曲片の間に前記凹部が形成されることを特徴とする請求項１に記載のエアフィルタ。
【発明の詳細な説明】
【技術分野】
【０００１】
本発明は、濾材がＶ字形に配置されたセル型エアフィルタに関する。
【背景技術】
【０００２】
従来、プリーツ状に折り畳まれた１組の濾材がＶ字形に配置されたセル型エアフィルタが知られている。この種のエアフィルタは、通常複数のＶ字が接続されると共に、各Ｖ形の頂部がフィルタ枠の各開口部に配置されている。
【０００３】
２つの濾材で形成されたＶ字の頂部は、例えば、濾材を構成する濾紙がプリーツ状に折り畳まれると共に、その折り目が一方の開口部から他方の開口部に向けて延びているので、濾材間の隙間をなくすことは難しく通常エア漏れが生じる。そのため、フィルタ枠の流入側及び流出側の開口部にはフィルタ枠の天板と地板の間に渡さて配置されるコの字桟部が設けられると共に、Ｖ形の頂部が、そのコの字内部に配置され、Ｖ形の頂部からのエア漏れが防止される。
【０００４】
濾材が接着剤によってフィルタ枠に固定される、いわゆる接着型のセル型エアフィルタが組み立てられるとき、まず、一方の開口部側に配置される桟部のコの字内部にＶ形の頂部が接着剤によって固着されると共に、それら桟部は、所定の位置に配置されるために、天板及び地板の側面にネジやリベット等によって固定される。次いで、他方の開口部側に配置される桟部のコの字内部に、濾材の他方のＶ形の頂部が配置された後、濾材及び桟部が天地板の内周面に接着剤によって固着される。このとき、他方の開口部側に配置された桟部は、所定の位置に配置されるために、通常ジグによって位置決めされ、これにより濾材が所定の位置に配置される。
【０００５】
また、濾材交換型のセル型フィルタでは、例えば、特許文献１に開示されるように、天板と地板の内周面にガイドレールが設けられ、そのガイドレースによって濾材が位置決めされて所定の位置に取り付けられている。また、エア漏れをなくすための桟部は、天板及び地板の内周面に設けられた横桟それぞれに、ピンによって固定されることにより、天板と地板の間に渡されている。
【特許文献１】特開２０００−３４２９２２号公報
【発明の開示】
【発明が解決しようとする課題】
【０００６】
しかし、エアフィルタの製造工程において、濾材を天地板や桟部に接着剤で固着する工程とは別に、桟部を天地板や横桟にビス、リベット、ピン等で固定することとなると、作業工程が必然的に多くなり、組み立て作業に多くの時間が費やされることになる。さらには、エアフィルタの前面にガスケットが固着される場合、ネジやリベットは前面側に突出するので、ガスケットを固着するときの妨げとなることがある。また、濾材や桟部の位置決めのために、ジグが用いられ、又は天地板にガイドレールが設けられる構成は、組立作業等が効率的であるといえない。
【０００７】
そこで、本発明は、フィルタ枠を組み立てるとき、ジグやビス等を用いずに、簡単な構成で濾材を所定の位置に配置し、又は桟部及び濾材を所定の位置に配置可能なエアフィルタを提供することを目的とする。
【課題を解決するための手段】
【０００８】
本発明に係るエアフィルタは、対向して配置される天板及び地板を有するフィルタ枠と、フィルタ枠の内部に配設され、天板側から見てＶ形に配置される濾材とを備え、天板及び地板のうち少なくとも一方の開口部側の縁部には、地板または天板に向かって屈曲して形成される第１屈曲部と、第１屈曲部からさらにフィルタ枠の内部に屈曲して形成される第２屈曲部とが設けられ、第２屈曲部には、濾材のＶ形の頂部が内部に配置される凹部が形成されることを特徴とする。
【０００９】
フィルタ枠の開口部において、フィルタ枠の天板と地板の間に渡さて配置されると共に、天板から地板まで延び、かつフィルタ枠の内側に向けて開口する溝を有し、その溝内部に濾材のＶ形の頂部が配置される桟部をさらに備え、桟部が上記凹部の内部に係合されていることが好ましい。但し桟部は設けられなくても良く、この場合、濾材は、例えばその表面が凹部に係合して、所定の位置に配置される。
【００１０】
桟部は断面コの字形状を呈することが好ましく、Ｖ形の頂部が溝内部に配置されやすいようにフィルタ枠の内部に向かうに従って広げられた断面コの字形状を呈することが特に好ましい。一方、凹部の内周は、桟部の外周面に沿うように、又はＶ形の濾材の濾材表面に沿うように形成され、特に、凹部は、桟部の広げられた断面コの字形状に沿うように、フィルタ枠の内部に向かうに従って広げられた形状を呈することが好ましい。
【００１１】
第１屈曲部は、例えば、天板又は地板に対して９０°屈曲して形成されると共に、第２屈曲部も同様に、第１屈曲部に対して９０°屈曲することが好ましい。第２屈曲部は、例えば、複数の屈曲片から構成され、屈曲片の間に凹部が形成される。
【発明の効果】
【００１２】
以上のように、本発明では、凹部が形成された第２屈曲部が天板又は地板に設けられると共に、その凹部の内部にＶ形の頂部が配置されることにより、エアフィルタを組み立てるとき、濾材を所定の位置に容易に配置させることができる。
【発明を実施するための最良の形態】
【００１３】
以下本発明について、図１〜３を参照しつつ説明する。なお、以下の説明においては、図１における上下方向及び左右方向をそれぞれ上下方向及び左右方向として説明すると共に、図１における紙面手前を前方とし、紙面奥側を後方として説明する。
【００１４】
エアフィルタ１０は、四角枠状のフィルタ枠１１と、フィルタ枠１１内に配置される複数の濾材４０とを有する。フィルタ枠１１は、矩形又は方形の四角枠状に形成され、前方側及び後方側に前方開口部３９Ｆ、後方開口部３９Ｂが形成され、前方開口部３９Ｆがエア流入側で、後方開口部３９Ｂがエア排気側となり、前方から後方に向けてエアが流入される。
【００１５】
フィルタ枠１１は、互いに平行な地板１２及び天板１３と、地板１２及び天板１３の左縁部を連結する左側板１４と、地板１２及び天板１３の右縁部を連結する右側板１５とで構成され、左側板１４及び右側板１５も互いに平行に配置される。
【００１６】
図３に示すように、地板１２は、その前縁部１２Ｆ及び後縁部１２Ｂそれぞれが左端から右端にわたって、地板に対して９０°上方向に屈曲して形成された、第１前方屈曲部１６Ｆ及び第１後方屈曲部１６Ｂを有する。第１前方屈曲部１６Ｆ及び第１後方屈曲部１６Ｂは、その左端及び右端が切り欠けられている。
【００１７】
第１前方屈曲部１６Ｆ及び第１後方屈曲部１６Ｂのそれぞれの上縁部には、さらにフィルタ枠１１の内部側（すなわち、後方向又は前方向）に向けて屈曲して形成される第２前方屈曲部１７Ｆ及び第２後方屈曲部１７Ｂそれぞれが形成される。ここで、第２前方屈曲部１７Ｆ及び第２後方屈曲部１７Ｂそれぞれは、第１前方屈曲部１６Ｆ及び第１後方屈曲部１６Ｂに対して９０°屈曲され、地板１２と平行になる。
【００１８】
第２前方屈曲部１７Ｆは、第１前方屈曲部１６Ｆの上縁部から後方（すなわち、フィルタ枠の内部）に向けて屈曲された複数の前方屈曲片１９Ｆから成る。各前方屈曲片１９Ｆは、上方から見ると後方に向かうに従って左右の長さが短くなる等脚台形状を呈する。前方屈曲片１９Ｆは左右に複数個等間隔に並べられており、これにより各前方屈曲片１９Ｆの間には、後方に向かうに従って左右の長さが短くなる略同一の等脚台形状を呈する複数の前方凹部２１Ｆが形成され、前方凹部２１Ｆは左右に等間隔に並べられる。
【００１９】
第２後方屈曲部１７Ｂは、第１後方屈曲部１６Ｂの上縁部から前方（すなわち、フィルタ枠の内部）に向けて屈曲された、複数の後方屈曲片１９Ｂ及び２つの半屈曲片２０Ｂとから成る。２つの半屈曲片２０Ｂは、それぞれ、地板１２の左縁部１２Ｌ及び右縁部１２Ｒ近傍に配置されると共に、複数の後方屈曲片１９Ｂは、それら２つの半屈曲片２０Ｂの間に等間隔に配置される。
【００２０】
半屈曲片２０Ｂ及び後方屈曲片１９Ｂは、上方から見ると前方に向かうに従って左右の長さが短くなり、それぞれ台形状を呈し、特に後方屈曲片１９Ｂは略同一の等脚台形状を呈する。そして、半屈曲片２０Ｂと後方屈曲片１９Ｂの間、及び各後方屈曲片１９Ｂの間には、前方に向かうに従って左右の長さが短くなる略同一の等脚台形状を呈する複数の後方凹部２１Ｂが形成され、複数の後方凹部２１Ｂは左右に等間隔に配置される。
【００２１】
前縁部１２Ｆ側に設けられる各前方凹部２１Ｆは、左右方向において、隣接する２つの後方凹部２１Ｂの中央に配置され、後方凹部２１Ｂと前方凹部２１Ｆは、左右方向において交互に配置される。
【００２２】
地板１２は、さらに、その左縁部１２Ｌ及び右縁部１２Ｒそれぞれが前端から後端にわたって地板に対して９０°上方向に屈曲される左部屈曲部１６Ｌ及び右部屈曲部１６Ｒを有する。左部屈曲部１６Ｌ及び右部屈曲部１６Ｒは、その前端及び後端が切り欠けられた形状を呈する。左部屈曲部１６Ｌ及び右部屈曲部１６Ｒそれぞれの上縁部には、前後方向の中央部において、さらに右方向又は左方向（すなわち、フィルタ枠１１の内部側）に向けて屈曲して形成される左部屈曲片１８Ｌ及び右部屈曲片１８Ｒが形成される。
【００２３】
天板１３は、地板１２と同一の構造を有し、天板１３の前縁部及び後縁部それぞれにも、同一の構成を有する複数の前方凹部２１Ｆ、後方凹部２１Ｂが形成される。すなわち、地板１２の前方凹部２１Ｆ及び後方凹部２１Ｂそれぞれに対応する位置、つまり、これらと左右及び前後方向が同一の位置に、天板１３の前方凹部２１Ｆ及び後方凹部２１Ｂが配置される。
【００２４】
フィルタ枠１１の前方開口部３９Ｆ、後方開口部３９Ｂそれぞれには、上下方向に長く延びる前方桟部２５Ｆ及び後方桟部２５Ｂそれぞれが複数設けられる。前方桟部２５Ｆ及び後方桟部２５Ｂそれぞれは、基底板２８と、基底板２８の左右の縁部がフィルタ枠１１の内側（すなわち、後方向、又は前方向）に屈曲して形成される桟屈曲部２９とによって断面コの字形状を呈し、フィルタ枠１１の内側に向けて開口する前方溝２６Ｆ及び後方溝２６Ｂが形成される。なお、前方桟部２５Ｆ及び後方桟部２５Ｂは、Ｖ形の濾材頂部がその内部に配置可能なように、フィルタ枠１１の内部側に向かうに従がって広げられた断面略コの字形状を呈し、その外周面が前方凹部２１Ｆ及び後方凹部２１Ｂの内周に沿うように形成される。また、前方溝２６Ｆ及び後方溝２６Ｂそれぞれは、前方桟部２５Ｆ及び後方桟部２５Ｂの上端から下端まで延びる。
【００２５】
各前方桟部２５Ｆは、天板１３及び地板１２において対応して配置される前方凹部２１Ｆそれぞれに係合されて配置される。すなわち、各前方桟部２５Ｆは、その下端近傍の外周面が地板１２に形成される前方凹部２１Ｆに係合されると共に、その上端近傍の外周面が天板１３に形成された前方凹部２１Ｆに係合され、天板１２及び地板１３の間に渡されて配置される。全ての前方凹部２１Ｆには前方桟部２５Ｆが係合され、これにより、前方桟部２５Ｆは左右に等間隔に並べられて配設される。
【００２６】
天板１３及び地板１２において対応して配置される後方凹部２１Ｂそれぞれにも、同様に、各後方桟部２５Ｂが係合され、これにより、後方桟部２５Ｂも左右に等間隔に並べられて配設される。前方桟部２５Ｆ及び後方桟部２５Ｂはそれぞれ、前方凹部２１Ｆ及び後方凹部２１Ｂに支持されると共に、接着剤によっても天板１３の下面及び地板１２の上面に上端及び下端が固着されている。
【００２７】
左側板１４及び右側板１５は、その前縁、後縁にフィルタ枠１１の内部側（右側又は左側）に屈曲する側板屈曲部３３が形成されると共に、その前後方向における中央部に、フィルタ枠の内部に向かって凹陥する凹陥部３２が形成される。左側板１４は、その外周面１４Ａが天板１３及び地板１２の左部屈曲部１６Ｌの内周面１６Ａに係合すると共に、凹陥部３２内部に左縁屈曲片１８Ｌが係合されて、天板１３及び地板１２の内部に嵌め入れられる。左側板１４は、ビス、リベット等によって地板１２及び天板１３に固定され、天板１３と地板１２を連結する。右側板１５も同様に、天板１３及び地板１２の内部に嵌め入れられて固定され、これらを連結する。
【００２８】
前方開口部３９Ｆにおいて、最も左側及び右側に設けられた前方桟部２５Ｆそれぞれのさらに左側及び右側にはそれぞれ、上下方向に長く延びる左Ｌ字桟部２７Ｌ及び右Ｌ字桟部２７Ｒが設けられる。左Ｌ字桟部２７Ｌ及び右Ｌ字桟部２７Ｒそれぞれは、基底板３０と、基底板３０の右縁部又は左縁部がフィルタ枠１１の内側（すなわち、後方向）に屈曲して形成される桟屈曲部３１とから成り、断面略Ｌ字形状を呈する。なお桟部２５Ｆと同様に、桟屈曲部３１も内部（後方）に向かうに従って、外側に広がるように形成される。
【００２９】
左Ｌ字桟部２７Ｌ及び右Ｌ字桟部２７Ｒそれぞれは、左側板１４及び右側板１５における前方側の側板屈曲部３３の内面に、基底板３０が沿うように配置される。各Ｌ字桟部２７Ｌ、２７Ｒは、それぞれ側板屈曲部３３にビス、リベット等によって固定される。なお、フィルタ枠の各部材並びに各桟部はアルミニウム、亜鉛めっき鋼板、ガルバリウム鋼板等の金属や、ＡＢＳ等の樹脂で形成される。
【００３０】
濾材４０は、ガラス繊維、合成繊維から形成される濾紙や不織布等によって構成される。濾材４０は、同一の濾材４０における各折り目が平行になるように、プリーツ状に折られ、多数のひだ山が形成される。このように折られた各濾材４０は板状を呈する。
【００３１】
複数の濾材４０は、折り目が天板１３及び地板１２に対して略平行になるように、フィルタ枠１１の内部に配置される。そして、それぞれの濾材４０の折り目方向における一端部４０Ｆは、前方開口部３９Ｆに配置されると共に、折り目方向における他端部４０Ｂは後方開口部３９Ｂに配置される。
【００３２】
左右方向に隣接する濾材４０の一端部４０Ｆ同士及び他端部４０Ｂ同士は近接して配置され、上方から見ると隣接する２つの濾材４０はＶ形を形成する。ここで、複数の濾材４０は、左側板１３から右側板１４に向けて、交互に後方側及び前方側において近接され、上方から見るとジグザグ形状を呈する。そして、最も左側及び右側に配置された濾材４０それぞれの一端部４０Ｆは他の濾材の一端部に近接されず、それぞれ左Ｌ字桟部２７Ｌ及び右Ｌ字桟部２７ＲのＬ字内部に配置される。Ｌ字桟部２７Ｌ、２７Ｒ内部に配置された濾材の一端部４０Ｆは、これらＬ字桟部２７Ｌ、２７Ｒに接着剤５０によって固着される。
【００３３】
隣接する２つの濾材４０の一端部４０Ｆによって形成されたＶ形の頂部４１Ｆは、前方側の開口部に配置された前方溝２６Ｆの内部に配置され、前方溝２６Ｆ内部に充填された接着剤５０によって、前方桟部２５Ｆに固着される。同様に、隣接する２つの他端部４０Ｂによって形成されたＶ形の頂部４１Ｂも、後方溝２６Ｂの内部に配置され、後方溝２６Ｂ内部に充填された接着剤５０によって後方桟部２５Ｂに固着される。また、濾材４０の上端部及び下端部は、接着剤によって地板１２及び天板１３にも固着されている。
【００３４】
次に、本実施形態に係るエアフィルタ１０の組み立て方法を説明する。本実施形態に係るエアフィルタ１０は、まず、後方溝２６Ｂの内部に接着剤が充填されると共に、その後方溝２６Ｂの内部に、２つの濾材４０の他端部４０Ｂが接着剤に漬け込まれて固着される。ここで、１つの後方溝２６Ｂに固着された２つの濾材４０は、一端部４０Ｆ側が離間するように配置されており、上方から見るとＶ形を呈する。
【００３５】
次いで、左側板１４及び右側板１５の前方側の側板屈曲部３３にＬ字桟部２７Ｌ、２７Ｒをそれぞれ固定すると共に、これらＬ字桟部２７Ｌ、２７Ｒを固定した左側板１４及び右側板１５を、地板１２及び天板１３の第１前方屈曲部１６Ｆに、ビス又はリベット等によって固定する。次いで、地板１２及び天板１３の各前方凹部２１Ｆに各前方桟部２５Ｆを係合した後、前方桟部２５Ｆの各前方溝２６Ｆの内部と、Ｌ字桟部２７Ｌ、２７ＲのＬ字内部に接着剤を充填する。
【００３６】
その後、後方桟部２５Ｂに他端部４０Ｂが固着された濾材４０それぞれの一端部４０Ｆを、前方桟部２５Ｆの前方溝２６Ｆの内部、又はＬ字桟部２７Ｌ、２７ＲのＬ字内部に配置し、濾材４０の一端部４０Ｆを、前方溝２６Ｆの内部又はＬ字内部の接着剤に漬け込み固着させる。このとき、各後方桟部２５Ｂは、後方凹部２５Ｂそれぞれに係合させられ、これにより、上方から見ると、濾材４０は複数のＶ形が接続したジグザグ形状を呈するように配置される。
【００３７】
その後、左側板１４、及び右側板１５を地板１２及び天板１３の第１後方屈曲部１６Ｂにビス又はリベット等によって固定する。次いで、地板１２の上面に接着剤を充填硬化させ、濾材４０の地板１２側の端部、並びに前方桟部２５Ｆ及び後方桟部２５Ｂの下端部を接着剤によって、地板１２に固着させる。その後、天板１３の下面に接着剤を充填硬化させ、濾材４０の天板１３側の端部、並びに前方桟部２５Ｆ及び後方桟部２５Ｂの上端部を接着剤によって、天板１３に固着させ、エアフィルタ１０を得る。
【００３８】
以上の工程において、前方桟部２５Ｆ及び後方桟部２５Ｂは、それぞれ前方凹部２１Ｆ及び後方凹部２１Ｂの内部に係合させられて、地板１２及び天板１３の内部に配置させられる。したがって、前方桟部２５Ｆ及び後方桟部２５Ｂは、ビスやジグ等によって位置決めさせられなくても、所定の位置に配置させることができるので、それらの内部に両端部が配置される濾材４０も合わせて位置決めさせられ、製造工程を簡素化することができる。また、ビスやリベット等によって桟部を地板１２及び天板１３に固定させる必要が無いので、ビスやリベット等が、エアフィルタの前面又は背面にガスケットを固着するときの妨げとなることがない。
【００３９】
また、エアフィルタの地板１２の各縁部が上方に屈曲されるのみのでは、地板１２の各縁部が把持されて持ち運ばされる際、運搬者の指が当てられる各縁部の先端部は、厚みが薄く指に食い込むので、長時間持ち運ぶことが困難となる。しかし、本実施形態では、地板１２の前縁部１２Ｆ及び後縁部１２Ｂが把持されて、エアフィルタ１０が持ち運ばれるとき、第２前方屈曲部１７Ｆ及び第２後方屈曲部１７Ｂに運搬者の指が当てられるが、これら屈曲部は面状に形成されるので、運搬者の指がこれら屈曲部に食い込むことがない。したがって、持ち運ぶ際に運搬者に苦痛を与えることはないので、長時間持ち運ばれることが可能になる。同様に、左部屈曲片１８Ｌ及び右部屈曲片１８Ｒも面状に形成されるので、これらに指が当てられて持ち運ばれるときも、これらに運搬者の指が食い込むことがない。
【００４０】
なお、本実施形態においては、天板及び地板の両方に桟部を係合するための凹部が設けられたが、いずれか一方のみに設けられても良い。さらには、前縁部及び後縁部のいずれにも凹部が設けられたが、いずれか一方の縁部に凹部が設けられても良い。さらには、本実施形態では、本発明が接着型のセル型フィルタに適用された場合について説明したが、濾材交換型のフィルタに適用されても良い。
【００４１】
なお、本実施形態において、第２前方屈曲部１７Ｆ及び第２後方屈曲部１７Ｂそれぞれは、第１前方屈曲部１６Ｆ及び第１後方屈曲部１６Ｂに対して９０°より大きく屈曲されても良いし、９０°未満屈曲されていても良い。同様に、第１前方屈曲部１６Ｆ及び第１後方屈曲部１６Ｂは、地板１２に対して、９０°より大きく屈曲されても良いし、９０°未満屈曲されていても良い。
【００４２】
また、本実施形態では、前方桟部２５Ｆ及び後方桟部２５Ｂは設けられなくても良い。この場合、濾材４０は、Ｖ形の頂部４１Ｆ、４１Ｂを形成する一端部４０Ｆ及び他端部４０Ｂの濾材表面が前方凹部２１Ｆ、後方凹部２１Ｂの内周に直接係合し、これにより、Ｖ形の頂部４１Ｆ、４１Ｂそれぞれが前方凹部２１Ｆ、後方凹部２１Ｂの内部に配置され、各濾材４０が所定の位置に配置される。
【００４３】
また、濾材４０は複数の濾材から構成されず、１枚の濾紙が折り目方向が上下方向に延びるように折り畳まれて形成された１つの濾材から形成されても良い。この場合、各Ｖ字頂部４１Ｆ、４１Ｂでは、濾紙が連続的に隙間がないように接続されているので、前方桟部２５Ｆ及び後方桟部２５Ｂが無くてもＶ字頂部に隙間が生じることがない。
【図面の簡単な説明】
【００４４】
【図１】本実施形態に係るエアフィルタをエア流入側から見た正面図である。
【図２】本実施形態に係るエアフィルタの内部を示すために、地板を上面から見た平面図であって、左側板及び右側板を省略して示した図である。
【図３】フィルタ枠を分解して示した斜視図である。
【符号の説明】
【００４５】
１０  エアフィルタ
１１  フィルタ枠
１２  地板
１３  天板
１６Ｆ  第１前方屈曲部
１６Ｂ  第１後方屈曲部
１７Ｆ  第２前方屈曲部
１７Ｂ  第２後方屈曲部
１９Ｆ  前方屈曲片
１９Ｂ  後方屈曲片
２１Ｆ  前方凹部
２１Ｂ  後方凹部
２５Ｆ  前方桟部
２５Ｂ  後方桟部
２６Ｆ  前方溝
２６Ｂ  後方溝
３９Ｆ  前方開口部
３９Ｂ  後方開口部
４０  濾材
４０Ｆ  一端部
４０Ｂ  他端部
４１Ｂ、４１Ｆ  Ｖ形の頂部
【図１】
2008200647.tif 000003
【図２】
2008200647.tif 000004
【図３】
2008200647.tif 000005